(57)【特許請求の範囲】
【請求項１】
物品を収納する複数の物品収納部と、この物品収納部と所定の搬入出口との間で前記物品の搬送を行う物品搬送手段と、演算処理装置からなり、前記物品搬送手段を制御して前記搬入出口において物品の出し入れを行う制御手段を備えた物品保管設備であって、
前記制御手段に、前記物品搬送手段を制御するプログラムを含む特定のプログラムと前記物品保管設備を動かすための設備情報を、前記プログラムを記憶する領域と前記設備情報を記憶する領域にそれぞれ分けて記憶する記憶手段を設け、
前記記憶手段の前記プログラムを記憶する領域に、前記プログラムと前記設備情報をまとめて格納することを可能とし、
前記記憶手段の前記設備情報を記憶する領域に、前記格納が未だ実行されていない初期状態かどうかの判断情報が記憶される特定番地を設け、
前記制御手段は、前記プログラムを記憶する領域に前記プログラムと前記設備情報がまとめて格納されると、前記特定番地の判断情報を確認し、この判断情報が初期状態を示しているとき、前記プログラムを記憶する領域に格納された設備情報を、前記設備情報を記憶する領域に新しい設備情報として書き込み、前記特定番地の判断情報が初期状態ではないことを示しているとき、前記プログラムを記憶する領域に格納された設備情報を不使用とすること
を特徴とする物品保管設備。
【請求項２】
前記特定番地の判断情報を初期状態に設定変更可能な設定手段を設けたこと
を特徴とする請求項１に記載の物品保管設備。
【発明の詳細な説明】
【０００１】
【発明の属する技術分野】
本発明は、自動倉庫などの物品保管設備に関するものである。
【０００２】
【従来の技術】
従来、上記物品保管設備は、物品を収納する複数の物品収納部と、この物品収納部と所定の搬入出口との間で物品の搬送を行う物品搬送手段とを備え、搬入出口において物品の出し入れを行うように構成されている。すなわち、物品収納部として、物品を収納する複数の区画収納空間（物品収納部）が上下多段かつ左右に並設された収納棚を備え、物品搬送手段として、前記収納棚に沿って走行する走行車体、この走行車体に垂設されたマストに沿って昇降される昇降台（昇降体）、およびこの昇降台上に設けられ、物品収納部と搬入出口においてフォークを出退させて前記物品の受け渡しを行うフォーク装置（物品の受け渡し手段）を有する物品出し入れ装置（スタッカークレーン）を備えている。このスタッカークレーンの動作により搬入出口と物品収納部との間で物品の入出庫、収納棚の一方の物品収納部と他方の物品収納部との間での物品の移載が行われる。
【０００３】
上記スタッカークレーンへの入出庫の指令データ（作業データ）は、通常、入庫、出庫などの作業モードの別と、物品の入出庫を行う搬入出口の別と、入出庫を行う物品収納部を特定する情報（収納棚における位置を示す番号などの符号）から形成され、地上側制御装置よりスタッカークレーンへ伝送され、スタッカークレーンは入力した作業データに応じて上記入出庫を実行する。また作業データとしては、操作パネルまたはリモートコントローラ（リモコン）を使用して作業者によって前記地上側制御装置へ入力された、あるいは予め入力されていた設定データが使用される。
【０００４】
また地上側制御装置は、コンピュータ（演算処理装置の一例）から構成され、このコンピュータのメモリ（記憶手段）には、スタッカークレーンの制御用プログラムや収納棚の各物品収納部における物品の有無などを管理する在庫管理プログラムなどからなる複数の基本部分のアプリケーションソフト（特定のプログラムの一例）と、設備毎に異なる設備の構成を特定するデータやタイマーの設定値などからなる各設備対応部分のパラメータ（設備情報の一例）が記憶される。またメモリは、アプリケーションソフトを格納する領域（アプリケーション用エリア）とパラメータが設定される領域（パラメータ用エリア）から構成され、アプリケーション用エリアにアプリケーションソフトがダウンロード（格納）されて記憶され、パラメータ用エリアに設定装置を使用してパラメータが設定される。
【０００５】
【発明が解決しようとする課題】
従来の物品保管設備では、上記アプリケーションソフトをダウンロードする際、その本数が多いためダウンロードする回数が多くなり、ダウンロードミスが発生し品質低下が起こりやすいという問題があった。またダウンロードに時間と手間がかかり、作業者に負担を強いていた。
【０００６】
またパラメータは、設備毎に異なり新たに設定されることから設定が最後になることが多く、またパラメータが設定されないと、地上側制御装置によりスタッカークレーンを運用できないことから、現場でスタッカークレーンを簡易運用することもできないという問題があった。
【０００７】
そこで、本発明は、地上側制御装置へダウンロードするソフトの回数、すなわち本数と手間を減らすことができ、現場でパラメータを１個ずつ設定しなくてもスタッカークレーンを動作させることができる物品保管設備を提供することを目的としたものである。
【０００８】
【課題を解決するための手段】
前述した目的を達成するために、本発明のうち請求項１記載の発明は、物品を収納する複数の物品収納部と、この物品収納部と所定の搬入出口との間で前記物品の搬送を行う物品搬送手段と、演算処理装置からなり、前記物品搬送手段を制御して前記搬入出口において物品の出し入れを行う制御手段を備えた物品保管設備であって、
前記制御手段に、前記物品搬送手段を制御するプログラムを含む特定のプログラムと前記物品保管設備を動かすための設備情報を、前記プログラムを記憶する領域と前記設備情報を記憶する領域にそれぞれ分けて記憶する記憶手段を設け、
前記記憶手段の前記プログラムを記憶する領域に、前記プログラムと前記設備情報をまとめて格納することを可能とし、前記記憶手段の前記設備情報を記憶する領域に、前記格納が未だ実行されていない初期状態かどうかの判断情報が記憶される特定番地を設け、
前記制御手段は、前記プログラムを記憶する領域に前記プログラムと前記設備情報がまとめて格納されると、前記特定番地の判断情報を確認し、この判断情報が初期状態を示しているとき、前記プログラムを記憶する領域に格納された設備情報を、前記設備情報を記憶する領域に新しい設備情報として書き込み、前記特定番地の判断情報が初期状態ではないことを示しているとき、前記プログラムを記憶する領域に格納された設備情報を不使用とすることを特徴とするものである。
【０００９】
ここで、記憶手段は、たとえばメモリやハードディスクにより構成される。
上記構成によれば、制御手段の記憶手段のプログラムを記憶する領域に、プログラムと設備情報がまとめて格納され、格納された設備情報は前記設備情報を記憶する領域に新しい設備情報として書き込まれる。よって、１回の格納でプログラムと設備情報が揃い、通常動作が可能な環境となり、さらに設備情報により簡易運用を行うこと、たとえば物品搬送手段を制御して物品搬送手段の停止位置などの学習を現場ですぐに実行することが可能となる。またダウンロードする回数を減らすことができることから、ダウンロードミスによる品質低下を無くすことが可能となり、作業者の負担を軽減することが可能となる。また初期の設備情報が含まれるため、制御手段だけで商品化することが可能となる。
また特定番地の判断情報が初期状態か、初期状態ではないかを判断することにより、事前に設備情報が書き込み済みであるかが判断され、書き込み済みのときには、格納された設備情報は不使用とされる。よって作業者は、現状動作中の設備情報をそのままに、特定のプログラムだけを意識せずに、通常の格納で入れ替えることができる。
【００１２】
また請求項２に記載の発明は、上記請求項１に記載の発明であって、前記特定番地の判断情報を初期状態に設定変更可能な設定手段を設けたことを特徴とするものである。
【００１３】
上記構成によれば、設定手段により特定番地の判断情報が初期状態に設定されると、格納された設備情報は、前記設備情報を記憶する領域に新しい設備情報して書き込まれる。よって、１回の格納でプログラムと判断情報を入れ替えることができる。
【００１４】
【発明の実施の形態】
以下、本発明の実施の形態を図面に基づいて説明する。
図１は本発明の実施の形態における物品保管設備の概略斜視図である。
【００１５】
図１に示すように、物品保管設備ＦＳには、物品（荷；商品やコンテナなど）Ｆの出し入れ方向が互いに対向するように間隔を隔てて設置した２基の収納棚Ａと、それらの収納棚Ａどうしの間に形成した作業通路Ｂを自動走行するスタッカークレーン（物品搬送手段の一例）Ｃとが設けられ、各収納棚Ａには、パレットＰに載置された状態で物品Ｆを収納する複数の物品収納部Ｄが上下多段かつスタッカークレーンＣの走行方向（以下、前後方向と称す）に並設されている。
【００１６】
前記作業通路Ｂには、収納棚Ａの長手方向に沿って走行レール１が設置され、作業通路Ｂの一端側に設置した物品搬出入部Ｅには、入出庫の指令データ（作業データ；物品の出し入れ情報の一例）をスタッカークレーンＣへ入力する、コンピュータ（演算処理装置の一例）からなるコントローラ（制御手段の一例）Ｅ１と、設定装置Ｅ２と、走行レール１を挟んでスタッカークレーンの走行方向とは直角な方向（以下、左右方向と称す）に一対のコンベヤ装置からなる物品受台（物品受け手段および物品の搬入出口の一例）Ｅ３ａ，Ｅ３ｂとが設けられ、スタッカークレーンＣは、コントローラＥ１より入力した作業データに基づいて走行レール１に沿って走行して、物品受台Ｅ３ａまたはＥ３ｂと物品収納部Ｄとの間、あるいは物品収納部Ｄ同士間においてパレットＰに載せた物品Ｆの出し入れを行う入出庫用の搬送車として構成されている。
【００１７】
前記スタッカークレーンＣは、走行レール１に沿って走行する走行車体２に、昇降台（昇降体）３と、その昇降台３を昇降操作自在に案内支持する前後一対の昇降マスト（走行車体に垂設された柱体）４とを設けて構成され、昇降台３には物品移載用のフォーク装置（物品の受け渡し手段）５が設けられている。
【００１８】
また天井部には、走行レール１に対向してガイドレール６が敷設され、上記一対の昇降マスト４の上端部には、これら上端部を連結するとともに、前記ガイドレール６を左右から挟み込んで、スタッカークレーンＣの走行に伴ってスタッカークレーンＣの上部位置を規制する上部フレーム７が設けられている。
【００１９】
また走行車体２上には、物品搬出入部Ｅ側の昇降マスト４の外方位置にクレーン制御装置ＣＣが設けられており、このクレーン制御装置ＣＣ上には、物品搬出入部ＥのコントローラＥ１とのデータの送受信を行う第１光送受信器１１が設けられている。また物品搬出入部Ｅには、この第１光送受信器１１に対向して第２光送受信器１２（図４）が設けられ、コントローラＥ１に接続されている。上記クレーン制御装置ＣＣは、コントローラＥ１から光送受信器１２，１１を介して前記作業データを受けて、昇降台３を指定された昇降位置に昇降させ、走行車体２を指定された走行位置に移動させ、フォーク装置５を駆動して物品Ｆを移載させることにより、物品Ｆの搬送並びに各物品収納部Ｄなどとの間の物品Ｆの移載を行っている。
【００２０】
上記物品搬出入部Ｅの設定装置Ｅ２は、図２に示すように、操作パネル２１とリモートコントローラ（設定手段の一例；以下、リモコンと称す）２２により構成されている。上記操作パネル２１はリモコン２２を支持する支持手段を構成しており、操作パネル２１に形成された長方形状の凹部２０にリモコン２２を嵌め込むことによって、リモコン２２が支持されるように構成されている。
【００２１】
また、操作パネル２１には、表示パネル２５と、非常停止ボタン２６と、起動ボタン２７と、異常解除用の解除ボタン２８と、物品保管設備ＦＳの運転モードを切り換える切換スイッチ２９とが設けられている。
【００２２】
また上記表示パネル２５には、左側の物品受台Ｅ３ａに対して実施される作業モード（入庫モードまたは出庫モード）の別を示すランプ３１と、右側の物品受台Ｅ３ｂに対して実施される作業モード（入庫モードまたは出庫モード）の別を示すランプ３２と、入出庫作業を実行する物品収納部Ｄの番号（棚番）またはエラーコードを表示する５桁の７セグメントの液晶表示器（表示手段）３３が設けられている。なお、液晶表示器３３の下方に表記されたＢＡＮＫ（バンク）の上に表示される番号は左右方向（列方向）イ（図１参照）の番号を示し、ＢＡＹ（ベイ）の上に表示される番号は前後方向（奥行方向）ロ（図１参照）の番号を示し、ＬＥＶＥＬ（レベル）の上に表示される番号は上下方向ハ（図１参照）の番号を示している。
【００２３】
また、上記リモコン２２には、図３に示すように、物品Ｆの入庫作業を選択する入庫モード選択ボタン（モード選択手段）３８と、物品Ｆの出庫作業を選択する出庫モード選択ボタン（モード選択手段）３９と、物品Ｆのピッキング作業を選択するピッキングモード選択ボタン（モード選択手段）４０と、入出庫を行う物品収納部Ｄを特定する情報である物品収納部Ｄの番号（棚番に相当する）などを入力するテンキースイッチ（入力手段）４１と、左側の物品受台Ｅ３ａを選択する物品受台選択ボタン４２ａと、右側の物品受台Ｅ３ｂを選択する物品受台選択ボタン４２ｂと、設定ボタン４３と、クリアボタン４４と、ＩＤボタン４５と、非常停止ボタン４６と、シフトボタン４７と、これらボタン・キー３８〜４７に接続され各ボタン・キー３８〜４７の操作毎に予め設定されたデータ（コード）を出力するＣＰＵからなるコントローラ４８（図４）と、コントローラ４８から出力されたコードデータを光信号にして送信する光送受信装置（情報通信手段の一例；図４）４９とが設けられている。
【００２４】
また上記操作パネル２１の凹部２０の上方には、リモコン２２の光送受信装置４９との間でデータ（光信号）の送受信を行う光送受信装置（情報通信手段の一例）６１が設けられている。なお、上記凹部２０にリモコン２２を嵌め込んだ際、光送受信装置４９が光送受信装置６１に対向するように構成されている。
【００２５】
また図２に示すように、上記凹部２０の上下中央部には、凹部２０よりも低い陥没部６２が形成されている。この陥没部６２は凹部２０から左右両側方へ張り出して形成されており、陥没部６２の左右両端部が凹部２０に嵌め込まれたリモコン２２の左右両外側方へ突出している。また、上記リモコン２２の裏側には金属シール６３（図３）が貼り付けられ、上記操作パネル２１の陥没部６２の中央底面には、上記金属シール６３を吸着する磁石（図示せず）が設けられている。
【００２６】
上記物品搬出入部ＥのコントローラＥ１は、図４に示すように、設定装置Ｅ２、および光送受信器１２，１１を介してスタッカークレーンＣのクレーン制御装置ＣＣに接続され、設定装置Ｅ２から入力した操作データを認識し、また作業データを記憶し、さらに記憶された作業データをスタッカークレーンＣのクレーン制御装置ＣＣへ光送受信器１１，１２を介して送信して物品Ｆの入出庫作業を制御し、また収納棚Ａの各物品収納部Ｄにおける在庫管理を行っている。
【００２７】
上記作業データは、「作業モード」、「使用する物品受台の別」、「棚番（バンク−ベイ−レベル）」から構成され、作業者によるこの作業データのコントローラＥ１への設定は、表示パネル２５を見ながら、リモコン２２の操作により行われる。この作業データの設定の一例を図５を参照しながら説明する。設定される作業データは、上記「作業モード」は入庫モード、「使用する物品受台」は左側の物品受台Ｅ３ａ、「棚番（バンク−ベイ−レベル）」は、１バンク９ベイ４レベルの物品収納部Ｄとする。
【００２８】
作業者は、リモコン２２を操作して「作業モード」、「使用する物品受台の別」、「棚番（バンク−ベイ−レベル）」の順に設定する。
まず入庫モード選択ボタン３８を押し、次に左側の荷受台選択ボタン４２ａを押し、さらに入庫先の物品収納部Ｄの場所に対応する番号（棚番；物品収納部を特定する情報の一例）が１バンク９ベイ４レベルであるので、テンキースイッチ４１により、「１０９０４」を押す。
【００２９】
これらボタン・キー３８〜４７の操作に応じてリモコン２２より上述したように、光コード信号が操作パネル２１の光送受信装置６１へ送信され、光送受信装置６１によりコードデータへ戻されてコントローラＥ１へ入力される。
【００３０】
コントローラＥ１は、入庫モード選択ボタン３８の操作信号に相当するコードデータを入力すると、図５（ａ）に示すように、表示パネル２５の入庫側の２つのランプ３１，３２を点滅させ、続いて左側の荷受台選択ボタン４２ａの操作信号に相当するコードデータを入力すると、図５（ｂ）に示すように、表示パネル２５の左側物品受台の入庫側のランプ３１のみを点灯させる。続いてテンキースイッチ４１の操作信号に相当するコードデータを入力すると、図５（ｃ）に示すように、表示パネル２５の液晶表示器３３の１桁目にバンク“１”、５桁目と６桁目にベイ“０９”、７桁目と８桁目にレベル“０４”を表示・点滅させる。
【００３１】
作業者は、表示パネル２５の左側荷受台の入庫側のランプ３１を点灯により、作業データは入庫モードで、かつ使用する物品受台は左側の物品受台Ｅ３ａであることを確認し、さらに液晶表示器３３の表示により入出庫を行う物品収納部Ｄの棚番（バンク−ベイ−レベル）を確認すると、設定ボタン４３を押す。
【００３２】
この設定ボタン４３の操作信号は上記と同様にコントローラＥ１へ入力され、コントローラＥ１は、この設定ボタン４３の操作信号に相当するコードデータを入力すると、先に記憶した「作業モード」、「使用する物品受台の別」、「棚番（バンク−ベイ−レベル）」のコードデータを１つの作業データとして認識して記憶し、図５（ｄ）に示すように、表示パネル２５の液晶表示器３３の表示を連続点灯にさせる。
【００３３】
作業者は、この液晶表示器３３の表示の連続点灯を確認すると、作業データの設定を終了する。
このように作業データが設定され、作業者により操作パネル２１の起動ボタン２７が操作されると、この起動ボタン２７の操作データはコントローラＥ１へ入力され、コントローラＥ１はこの操作データに応じて、記憶した作業データに基づいて物品Ｆの出し入れを実行する。
【００３４】
以上のように、リモコン２２により作業データをコントローラＥ１へ設定することができ、この設定された作業データに応じて物品Ｆの出し入れを行うことができる。
【００３５】
上記コンピュータからなるコントローラＥ１のメモリ（記憶手段）Ｍは、図４に示すように、スタッカークレーンＣの制御用プログラムや収納棚Ａの各物品収納部Ｄにおける物品Ｆの有無などを管理する在庫管理プログラムなどからなる複数の基本部分のアプリケーションソフト（特定のプログラムの一例）を記憶する領域（アプリケーション用エリア）７１と、設備毎に異なる設備の構成を特定するデータやタイマーの設定値などからなる各設備対応部分のパラメータ（設備情報の一例）を記憶する領域（パラメータ用エリア）７２から構成され、アプリケーション用エリア７１にアプリケーションソフトが記憶され、パラメータ用エリア７２にパラメータが記憶されることによりコントローラＥ１は、機能を果たすことができる。なお、アプリケーション用エリア７１は、アプリケーション用ソフトとパラメータをまとめて格納することができるメモリ容量を有している。またパラメータ用エリア７２の特定のアドレス（特定番地）に、前回ダウンロード済みかどうかのデータが設定（登録）される。上記メモリＭは、たとえばＲＡＭ、フラッシュＲＯＭやハードディスクにより構成される。
【００３６】
上記メモリＭへアプリケーションソフトとパラメータを格納・設定するときのコントローラＥ１の動作について、図６を参照しながら説明する。
ダウンロードソフトは、アプリケーションソフトとパラメータが１つに編集され、図４に示すローダー７３に入力されて現場へ運ばれる。ローダー７３は、現場で操作パネル２１の切換スイッチ２９が「切」の状態にあることを確認してコントローラＥ１（基板）に接続され、前記ダウンロードソフトはこのローダー７３によりメモリＭのアプリケーション用エリア７１にダウンロードされる。なお、ローダー７３はノート型パソコンを使用している。
【００３７】
コントローラＥ１は、上記ダウンロードが実行された後、最初に操作パネル２１の切換スイッチ２９が「リモート」または「オンライン」に操作されると（電源が投入されると）（ステップ−１）、パラメータ用エリア７２の特定のアドレス（番地）の内容が、前回ダウンロード済みのデータかどうかを確認し（ステップ−２）、前回ダウンロード済みではないこと（通常の出荷セットアップのときなど）を確認すると、ダウンロードソフトのパラメータをパラメータ用エリア７２に書き込む（コピーする）（ステップ−３）。このコピーされたパラメータが新しいパラメータとして使用される。続いて特定のアドレスの内容を、前回ダウンロード済みに設定する（ステップ−４）。
【００３８】
また特定のアドレスの内容が、前回ダウンロード済みのとき、何もしない。すなわちダウンロードソフトのパラメータをパラメータ用エリア７２にコピーすることなく、不使用とする（ステップ−５）。
【００３９】
続いて通常動作を行う。すなわちアプリケーションソフトをパラメータの内容により実行する（ステップ−６）。
このように、ダウンロードソフトにアプリケーションソフトとパラメータが含まれることにより、１回のダウンロードでアプリケーションソフトとパラメータを、メモリＭのアプリケーション用エリア７１とパラメータ用エリア７２にそれぞれ書き込むことができ、通常動作が可能な環境とすることができ、さらにパラメータにより簡易運用を行うこと、たとえばスタッカークレーンＣを制御してスタッカークレーンＣの停止位置などの学習を現場ですぐに実行することを可能にできる。よってパラメータが無いとの理由で、現場でスタッカークレーンＣを駆動できないなどの不具合を解消できる。またダウンロードする回数を減らすことができることから、ダウンロードミスによる品質低下を無くすことができ、また作業者の負担を軽減することができる。またダウンロードソフトに初期のパラメータが含まれているために、コントローラＥ１を基板で供給できる（ダウンロードソフトを商品化することができる）。
【００４０】
また、ソフトダウンロード後最初の起動の際、特定アドレスの内容により、前回ダウンロード済みか済みではないか（特定番地の判断情報が初期状態か、初期状態ではないか）を判断することにより、事前にパラメータが存在するかどうかを判断できるため、アプリケーションソフトの障害（バグ）時、現状の動作中パラメータをそのままに、アプリケーションソフトだけを入れ替えることができる。そのとき、作業者はそのことを意識せずに、通常のダウンロード動作で作業を行うことができる。
【００４１】
上記特定のアドレスの内容を、“前回ダウンロード済みではない”と再設定すれば、１回のダウンロードでダウンロードソフトのパラメータをパラメータ用エリア７２に新しく書き込むことができる。この再設定の手順を説明する。上記特定のアドレスを“Ｈ４０”、前回ダウンロード済みのデータを“７２”、前回ダウンロード済みではないことのデータを“００”とする。特定のアドレスの内容の変更は、リモコン２２とコントローラＥ１と表示画面２５の液晶表示器３３を使用して行われる。リモコン２２の操作データは、上述したようにコントローラＥ１へ入力される。
【００４２】
まず、作業者は、シフトキー４７を押しながら、（左側）物品受台選択ボタン４２ａと（右側）物品受台選択ボタン４２ｂを続けて押す。
コントローラＥ１は、これらシフトボタン４７および（左側）物品受台選択ボタン４２ａと（右側）物品受台選択ボタン４２ｂの操作入力を確認すると、メンテナンスの実行と判断して、図７（ａ）に示すように、液晶表示器３３の１桁目、２桁目、３桁目にメンテナンスを示す、たとえば“Ｊｏｂ”を表示させ、４桁目、５桁目に、入力を促す“＿＿”を表示させる。
【００４３】
続いて作業者はこの液晶表示器３３の表示を確認すると、シフトキー４７と設定キー４３を同時に押す。
コントローラＥ１は、これらキー４７，４３の入力を確認すると、図７（ｂ）に示すように、液晶表示器３３の１桁目〜４桁目にパラメータの保存を聞く“ＳＡＶＥ”を表示させる。
【００４４】
作業者は、この液晶表示器３３の表示を確認すると、シフトキー４７とピッキングキー４０を押す。
コントローラＥ１は、これらキー４７，４０の入力を確認すると、図７（ｃ）に示すように、パラメータの保存を促す液晶表示器３３の１桁目〜３桁目に、パラメータのアドレス“Ｐ００”を表示させ、４桁目、５桁目に、入力を促す“＿＿”を表示させて登録モードに切りかえる。
【００４５】
作業者は、この液晶表示器３３の“Ｐ００”表示を確認すると、シフトキー４７とテンキースイッチ４１の数字“９”を押して、コントローラＥ１により図７（ｄ）に示すように、アドレス“Ｈ４０”が表示されるまで、すなわち上記特定のアドレスが表示されるまでステップさせる。
【００４６】
作業者は、テンキースイッチ４１の数字“０”を操作して、コントローラＥ１により図７（ｅ）に示すように、この“Ｈ４０”のデータを“００”に変更する。次に、シフトキー４７を押しながら設定キー４３を操作する。
【００４７】
コントローラＥ１は、これらキー４７，４３の入力を確認すると、図７（ｆ）に示すように、液晶表示器３３の１桁目〜４桁目にパラメータの保存を聞く、“ＳＡＶＥ”を表示させる。
【００４８】
作業者は、この液晶表示器３３の表示を確認すると、再度シフトキー４７を押しながら設定キー４３を押す。
コントローラＥ１は、これらキー４７，４３の入力を確認するとパラメータの保存を実行し、設定（登録）が完了する。
【００４９】
このように、リモコン２２を使用して特定アドレスの内容を、“前回ダウンロード済みではない”（初期状態）と変更すると、ダウンロードでダウンロードソフトのパラメータがパラメータ用エリア７２に書き込まれて設定される。よって、１回のダウンロードでアプリケーションソフトとパラメータを入れ替えることができる。
【００５０】
なお、本実施の形態では、設定手段としてリモコン２２を使用しているが、必ずしもリモコン２２に限ることはなく、特定アドレスの内容を“前回ダウンロード済みではない”（初期状態）に設定変更可能な手段であればよい。また設定手段であるリモコン２２と各物品保管設備ＦＳのコントローラＥ１の操作パネル２１にそれぞれ設ける情報通信手段として、光送受信装置４９，６１を使用しているが、光による通信に限ることはなく、電磁波や電波を使用して通信を行うようにしてもよい。
【００５１】
また本実施の形態では、左右方向に並設された各収納棚Ａをそれぞれ、前後方向に物品収納部Ｄを有する構成としているが、各収納棚Ａを前後方向のみでなく左右方向（奥行き方向）に物品収納部Ｄを並べた構成とすることもできる。このとき、フォーク装置５を、フォーク（出し入れ具）が各収納棚Ａの左右方向の各物品収納部Ｄに対して位置決め出退可能な構成（ダブルディープタイプ）とする。
【００５２】
また本実施の形態では、搬入出部Ｅの一対の物品受台Ｅ３ａまたはＥ３ｂを物品Ｆの搬入出を行う搬入出口として使用しているが、これら物品受台Ｅ３ａまたはＥ３ｂを、物品Ｆの搬入口専用または搬出口専用として使用することもできる。
【００５３】
また本実施の形態では、物品保管設備の物品搬送手段としてスタッカークレーンＣを使用しているが、スタッカークレーンＣの走行車体２に相当する構成を備えていない物品搬送手段であってもよい。このような走行車体２を備えていない物品搬送手段を備えた物品保管設備ＦＳ’の一例を図８に示す。図８には、上記実施の形態の構成と同一の機能を有する構成には同一の符号を付している。
【００５４】
図８に示す物品保管設備ＦＳ’は、たとえばコンテナからなる物品Ｆを、前後に所定間隔を隔てて設置した２基の収納棚Ａの物品収納部Ｄのうちのいずれかの物品収納部Ｄに収納させることができるとともに、所定の収納棚Ａに収納される物品Ｆを取り出すことができるようにしている。
【００５５】
物品収納部Ｄは、一対の収納棚Ａそれぞれにおいて、上下方向並びに横方向に並列する状態で、複数設けられている。前方側に位置する一方の収納棚Ａの下部側の物品収納部Ｄを利用して上下２段の物品Ｆの搬出入部（搬入出口）Ｅ３ａ，Ｅ３ｂが設けられている。またこの搬出入口Ｅ３ａ，Ｅ３ｂには、物品Ｆを収納棚Ａに対して搬出入するためのローラコンベアＲＣが連設されている。また搬出入口Ｅ３ａ，Ｅ３ｂの近傍に、コントローラＥ１と設定装置Ｅ２が設けられている。
【００５６】
また、一対の収納棚Ａの前後中間部には、物品Ｆを各物品収納部Ｄと搬出入部Ｅａ（またはＥ３ｂ）との間に亘って搬送し、入出庫を行う搬送装置（物品搬送手段の一例）Ｃ’が設けられている。搬送装置Ｃ’は、チェーンにて吊下げ支持され、収納棚Ａの上下高さのほぼ全域にわたって垂直方向に昇降される昇降台３と、この昇降台３上に横動自在に設けられ、収納棚Ａの物品収納部Ｄまたは搬入出部Ｅ３ａ，Ｅ３ｂに対して物品Ｆの受け渡しを行うフォーク装置５から構成されている。
【００５７】
このように、走行車体２に相当する構成を備えていない物品搬送手段（搬送装置Ｃ’）を備えた物品保管設備ＦＳ’においても、コントローラＥ１に、１回のダウンロードによりアプリケーションソフトとパラメータを書き込むようにすることができ、通常動作が可能な環境とすることができる。さらにパラメータにより簡易運用を行うことができ、現場で搬送装置Ｃ’を駆動して停止位置などの学習を行われることができないなどの不具合を解消するようにすることができる。
【００５８】
【発明の効果】
以上述べたように本発明によれば、制御手段の記憶手段のプログラムを記憶する領域に、プログラムと設備情報がまとめて格納され、格納された設備情報は前記設備情報を記憶する領域に新しい設備情報として書き込まれることにより、１回の格納でプログラムと設備情報が揃い、通常動作が可能な環境とすることができる。
【図面の簡単な説明】
【図１】本発明の実施の形態における物品保管設備の要部斜視図である。
【図２】同物品保管設備の操作パネルの正面図であり、リモコンを装着した状態を示す。
【図３】同物品保管設備のリモコンの正面図である。
【図４】同物品保管設備の制御構成図である。
【図５】同物品保管設備のリモコン操作による作業データ設定時の操作パネルの表示画面図である。
【図６】同物品保管設備のコントローラへのソフトのダウンロード時の動作を示すフローチャートである。
【図７】同物品保管設備のパラメータ変更時の液晶表示器の表示を示す図である。
【図８】本発明の他の実施の形態における物品保管設備の要部斜視図である。
【符号の説明】
ＦＳ  物品保管設備
Ａ    収納棚
Ｂ    作業通路
Ｃ    スタッカークレーン
Ｃ’  搬送装置
ＣＣ  クレーン制御装置
Ｄ    物品収納部
Ｅ    物品搬入出部
Ｅ１  コントローラ
Ｅ２  設定装置
Ｅ３ａ，Ｅ３ｂ  物品受台（搬入出口）
Ｍ    メモリ
１    走行レール
２    走行車体
３    昇降台
４    昇降マスト
５    フォーク装置
１１，１２  光送受信器
２１  操作パネル
２２  リモコン
３３  液晶表示器
３８〜４７  リモコンの操作・選択ボタン
４８  リモコンのコントローラ
４９，６１  光送受信装置
７１  アプリケーション用エリア
７２  パラメータ用エリア
７３  ローダー
【図１】
0004036000.tif 000002
【図２】
0004036000.tif 000003
【図３】
0004036000.tif 000004
【図４】
0004036000.tif 000005
【図５】
0004036000.tif 000006
【図６】
0004036000.tif 000007
【図７】
0004036000.tif 000008
【図８】
0004036000.tif 000009